(57)【要約】【課題】磁気テープカートリッジに一定以上の衝撃が加わったことをユーザが認識できるようにする。【解決手段】球Ｗと、この球Ｗを挟持する板バネ１２，１３とを磁気テープカートリッジに設け、一定以上の衝撃が加わった時に、球Ｗが板バネ１２，１３の挟持から外れるように構成する。球Ｗが落下すれば、球Ｗがカートリッジケース内でカタカタと鳴ることで、ユーザは磁気テープカートリッジ１に一定以上の衝撃が加わったことを認識できる。また、球Ｗと板バネ１２，１３とを電導体で構成することにより板バネ１２，１３、球Ｗにより電導路を構成し、外部から接触可能な板バネ１２，１３の端子１２ｂ，１３ｂで導通テストをすることで、電気的に磁気テープカートリッジ１に一定以上の衝撃が加わったことを認識できる。【選択図】      図１
2004213732.tif 000002
【特許請求の範囲】
【請求項１】
錘と、少なくとも１つのバネ部材を含んで前記錘を挟持する部材とを有し、一定以上の衝撃が加わったときに、この錘が外れるように構成したことを特徴とする磁気テープカートリッジ。
【請求項２】
前記錘、及び前記錘を挟持する部材は少なくともその一部が電導体からなり、前記錘を挟持する部材は、前記錘を介して電導路を構成し、この電導路の端子がカートリッジケースの外部から接触可能に配置されていることを特徴とする請求項１に記載の磁気テープカートリッジ。
【請求項３】
前記錘は少なくともその一部が電導体からなり、前記電導体の部分がカートリッジケースの外部から接触可能に配置されていることを特徴とする請求項１に記載の磁気テープカートリッジ。
【請求項４】
前記錘、及び前記錘を挟持する部材は少なくともその一部が電導体からなり、前記バネ部材の一つと前記錘とにより電導路を構成し、この一つのバネ部材と前記錘とがカートリッジケースの外部から接触可能に配置されていることを特徴とする請求項１に記載の磁気テープカートリッジ。
【請求項５】
前記錘、及び前記錘を挟持する部材は少なくともその一部が電導体からなり、前記錘を挟持する部材は、前記錘を介して電導路を構成し、この電導路の端子がカートリッジケース内部に配置される非接触式通信機の回路の一部に接続されたことを特徴とする請求項１に記載の磁気テープカートリッジ。
【請求項６】
請求項２から請求項４のいずれか１項に記載の磁気テープに対し、データの記録／再生を行う磁気テープドライブであって、前記磁気テープカートリッジが装填されたときに前記端子に接触するドライブ側端子と、前記ドライブ側端子への導通テストを行う導通テスト回路とを有し、前記導通テスト回路による導通テストの結果、導通が無い場合に警告音又は警告表示を出力するよう構成されたことを特徴とする磁気テープドライブ。
【請求項７】
請求項５に記載の磁気テープに対し、データの記録／再生を行う磁気テープドライブであって、前記磁気テープカートリッジが装填されたときに前記非接触式通信機と通信テストを行うドライブ側通信機を有し、前記ドライブ側通信機による通信テストの結果、前記錘が前記バネ部材から外れていると判断された場合に警告音又は警告表示を出力するよう構成されたことを特徴とする磁気テープドライブ。
【発明の詳細な説明】
【０００１】
【発明の属する技術分野】
本発明は、磁気テープカートリッジ及び磁気テープドライブに関する。
【０００２】
【従来の技術】
従来、コンピュータ等のデータ保存用の磁気テープカートリッジを外部記録媒体として用いて、磁気テープドライブでデータを記録・再生することが行われている。この種の磁気テープカートリッジは、一般に樹脂を射出成形してなるカートリッジケースの内部に、単一または２つのリールに磁気テープを巻装して収容したものである。この磁気テープカートリッジの取り扱いで問題となるのは、例えば、ユーザが誤って落としてしまったときの破損である。この破損に関しては、特許文献１が参考になる。
【０００３】
【特許文献１】
特開２００２−２９８５４１号公報（第５頁、１３頁および１４頁、第１図参照）
【０００４】
特許文献１においては、磁気テープを外部に引き出すための開口部が、カートリッジケースのコーナーに比較的近い部分に設けられていると、構造上剛性が低く、不用意な取り扱いを受けた場合に開口部が破損するということを従来技術の問題の一つとしている。そして、具体的な対応策として、磁気テープカートリッジのコーナーから内側に離して開口部を設け、誤って落とした場合にも破損し難い構造としている。
【０００５】
【発明が解決しようとする課題】
ところで、前記した特許文献１の磁気テープカートリッジは、カートリッジケース自体の破損についての課題を解決したものであり、カートリッジケース内部の磁気テープの破損については何ら記載されていない。
しかし、磁気テープカートリッジの落下により、カートリッジケースは破損しなくても、カートリッジケースの内部の磁気テープが破損する可能性もある。この場合には、外部から不具合を判断できないため、ユーザはそのまま磁気テープカートリッジを使用してしまう可能性が高く、データの消失につながりかねない。
【０００６】
例えば、磁気テープを繰り返し使用していると、磁気テープドライブで始動、停止する際などに磁気テープが幅方向に動くことがあり、これを原因として、磁気テープが局部的にはみ出し、いわゆる巻乱れが生じることがある。この巻乱れは、それ自体不具合を発生させるものではないが、巻乱れが発生した状態で磁気テープカートリッジを落とした場合には、はみ出した磁気テープがカートリッジケースの内壁にぶつかり、折れ曲がることがある。この折れ曲がりが発生した磁気テープは、しばらくはそのまま使用できるが、繰り返し走行させるうちに折れ曲がりの箇所を起点として磁性層が剥離するなどして、データの読取エラーが発生する可能性がある。
【０００７】
そこで、このような問題に鑑み本発明がなされたもので、本発明は、磁気テープカートリッジを落とした場合に、使用の可否を識別できる磁気テープカートリッジを提供することを課題とする。
【０００８】
【課題を解決するための手段】
前記した課題を解決するため、本発明の請求項１に係る磁気テープカートリッジは、錘と、少なくとも１つのバネ部材を含んで前記錘を挟持する部材とを有し、一定以上の衝撃が加わったときに、この錘が外れるように構成したことを特徴とする。
【０００９】
このような磁気テープカートリッジは、落としたときに一定以上の衝撃が加わることで、バネ部材により挟持されていた錘が外れる。従って、例えば、錘がカートリッジケース内部に入っている場合、ユーザは、錘がカートリッジケース内でカタカタ鳴ることで一定以上の衝撃が加わったことを認識することができる。また、錘が外部から見えるところに設置されていた場合には、錘が転がったり、目視して錘が無くなったことを確認したりすることで、一定以上の衝撃が加わったことを認識することができる。
【００１０】
また、本発明の請求項２に係る磁気テープカートリッジは、請求項１の磁気テープカートリッジにおいて、前記錘、及び前記錘を挟持する部材は少なくともその一部が電導体からなり、前記錘を挟持する部材が、前記錘を介して電導路を構成し、この電導路の端子がカートリッジケースの外部から接触可能に配置されていることを特徴とする。
【００１１】
このような磁気テープカートリッジによれば、磁気テープカートリッジを落として一定以上の衝撃が加わることで、バネ部材に挟持されていた錘が外れる。そして、錘を介して構成されていた電導路の一部が切れる。従って、電導路の端子に外部から導通テストをすることで、磁気テープカートリッジに一定以上の衝撃が加わったかどうかが判断できる。
【００１２】
また、本発明の請求項３では、請求項１の磁気テープカートリッジにおいて、前記錘は少なくともその一部が電導体からなり、前記電導体の部分がカートリッジケースの外部から接触可能に配置することを特徴とする。さらに、本発明の請求項４では、請求項１の磁気テープカートリッジにおいて、前記錘、及び前記錘を挟持する部材は電導体からなり、前記バネ部材の一つと前記錘とにより電導路を構成し、この一つのバネ部材と前記錘とがカートリッジケースの外部から接触可能に配置することを特徴とする。
【００１３】
この場合にも、請求項１の磁気テープカートリッジと同様に、磁気テープカートリッジを落として一定以上の衝撃が加わることで、バネ部材に挟持されていた錘が外れる。そして、錘や、バネ部材により構成されていた電導路が切れる。従って、錘自体、又は電導路の端子に外部から導通テストをすることで、磁気テープカートリッジに一定以上の衝撃が加わったかどうかが判断できる。
【００１４】
さらに、本発明の請求項５に係る磁気テープカートリッジは、請求項１の磁気テープカートリッジにおいて、前記錘、及び錘を挟持する部材が少なくともその表面が電導体からなり、前記錘を挟持する部材が、前記錘を介して電導路を構成し、この電導路の端子がカートリッジケース内部に配置される非接触式通信機の回路の一部に接続されたことを特徴とする。
【００１５】
このような磁気テープカートリッジによれば、磁気テープカートリッジを落として一定以上の衝撃が加わることで、バネ部材に挟持されていた錘が外れる。そして、錘を介して構成されていた電導路の一部が切れる。従って、非接触通信機に通信を行ってみて、通信が正常にできれば、一定以上の衝撃は加わっていないことがわかり、通信ができないか、非接触通信機で、前記電導路の導通が無いことを示す信号を送ってくるようであれば、一定以上の衝撃が加わったことがわかる。
【００１６】
また、本発明の請求項６は、請求項２から請求項４のいずれか１項に記載の磁気テープに対し、データの記録／再生を行う磁気テープドライブであって、前記磁気テープカートリッジが装填されたときに前記端子に接触するドライブ側端子と、前記ドライブ側端子への導通テストを行う導通テスト回路とを有し、前記導通テスト回路による導通テストの結果、導通がない場合に警告音又は警告表示を出力するよう構成されたことを特徴とする。
【００１７】
このような磁気テープドライブによれば、磁気テープカートリッジを装填することにより、ドライブ端子が磁気テープカートリッジの電導路の端子に接触し、導通テスト回路が導通テストを行うことで、電導路の導通が保たれているか、言い換えれば、錘がバネ部材に挟持されたままでいるかが確認できる。そして、導通テストの結果、電導路の導通が無い場合には、警告音又は警告表示が出力されるので、ユーザが磁気テープの異常に気づくことができる。
【００１８】
また、本発明の請求項７は、請求項５に記載の磁気テープに対し、データの記録／再生を行う磁気テープドライブであって、前記磁気テープカートリッジが装填されたときに前記非接触式通信機と通信テストを行うドライブ側通信機を有し、前記ドライブ側通信機による通信テストの結果、前記錘が前記バネ部材から外れていると判断された場合に警告音又は警告表示を出力するよう構成されたことを特徴とする。
【００１９】
このような磁気テープドライブによれば、磁気テープカートリッジを装填することにより、ドライブ側通信機が非接触式通信機と通信テストを行う。通信テストの結果、通信ができない場合や、電導路の導通が無いことを示す信号が返された場合には、電導路の導通が無いことが判断できる。そして、電導路の導通が無いと判断したときには、磁気テープドライブが警告音又は警告表示を出力するので、ユーザが磁気テープの異常に気づくことができる。
【００２０】
【発明の実施の形態】
次に、本発明の実施形態について適宜図面を参照しながら説明する。
図１は、第１実施形態に係る磁気テープカートリッジの分解斜視図であり、図２は、図１のII−II線断面図である。
図１に示すように、磁気テープカートリッジ１は、カートリッジケース１０の内部に磁気テープＭＴが巻回された単一のリール１１が収納されて構成されている。なお、本実施形態では、単一のリール１１のみを有する磁気テープカートリッジ１について例示するが、本発明は、２つのリールを有するタイプの磁気テープカートリッジでも同様に適用できる。
【００２１】
カートリッジケース１０は、扁平な樹脂製の箱からなり、その上半分を構成する上ハーフ１０Ａと、下半分を構成する下ハーフ１０Ｂとから構成されている。なお、本明細書にいうカートリッジケース１０の上下は、磁気テープカートリッジ１の使用時における上下を意味する。
【００２２】
下ハーフ１０Ｂの図１の手前側の角部Ｃは、側壁１４ａと側壁１４ｂとにより形成されている。この角部Ｃの付近には、下ハーフ１０Ｂの底面１９にリール１１の外径に沿って形成されたリブ１５ａが形成されている。リブ１５ａは、側壁１４ａとリブ１５ｂにより結合され、側壁１４ｂとリブ１５ｃにより結合されている。上ハーフ１０Ａにも同様にリブ１５ａ，１５ｂ，１５ｃが形成されている。そして、下ハーフ１０Ｂと上ハーフ１０Ａを組み合わせたときに、上下のハーフの各リブ１５ａ，１５ｂ，１５ｃとがつきあわされることで、小室１５が形成されるようになっている。
【００２３】
図２に示すように、上ハーフ１０Ａの小室１５内には衝撃センサ５１が設けられている。
【００２４】
衝撃センサ５１は、球Ｗと、板バネ１２と、板バネ１３とから構成されている。
【００２５】
球Ｗは、特許請求の範囲にいう錘であり、導電性の材料、例えば鉄、真鍮、ステンレス等の金属から構成されている。なお、球Ｗの電導性は、表面での接触を通じて電気を伝えられれば十分なので、表面の一部に連続的に電導性を有するか、電気接点となる部分についての表面部分にのみ電導性材料を有し、その電導性材料を、球の内部に形成された電導性材料の通路で繋ぐように構成しても良い。例えば、セラミックの球の表面を金属で覆って構成することもできる。また、板バネ１２，１３との接触を良好に保つため、錆びにくい材料で構成するか、錆びにくい材料で表面をメッキするのが望ましい。
【００２６】
板バネ１２は、特許請求の範囲にいうバネ部材であり、短冊状の金属板を折り曲げて形成されている。板バネ１２は、その先端側に円形の貫通孔１２ａを有している。また、その基端側が折り曲げられて、上ハーフ１０Ａの側壁１４ａに設けられた取付孔１６ａに挿通され、かしめられて上ハーフ１０Ａに固定されている。板バネ１２の基端側の末端は、上ハーフ１０Ａの外部に露出して端子１２ｂを形成している。
【００２７】
板バネ１３は、板バネ１２と同様に構成されている。すなわち、先端側に円形の貫通孔１３ａを有し、側壁１４ａに形成された取付孔１６ｂにかしめられて固定されている。そして、基端側の末端が上ハーフ１０Ａの外部に露出して端子１３ｂを形成している。板バネ１３は、板バネ１２と平行に、球Ｗの直径よりも僅かに短い距離で、前記した貫通孔１２ａと貫通孔１３ａとが向かい合うように配置されている。
【００２８】
さらに、球Ｗは、貫通孔１２ａと貫通孔１３ａに一部はまる形で、板バネ１２と板バネ１３に挟持されている。この挟持の方向は、磁気テープＭＴの幅方向に対して直角な方向である。すなわち、磁気テープカートリッジ１に磁気テープＭＴの幅方向の衝撃を与えた時に、球Ｗが板バネ１２，１３から外れやすくなっている。
前記端子１２ｂ，１３ｂは、図２に示す２点鎖線のように、後記するドライブ側端子２の接触子２ａ，２ｂとそれぞれ接触するように配置されている。
【００２９】
板バネ１２及び板バネ１３と、下ハーフ１０Ｂの底面１９との距離は、球Ｗの直径よりも大きく設定されている。
【００３０】
以上のように構成された磁気テープカートリッジ１は、次のように作用する。図３は、磁気テープカートリッジ１の破断斜視図であり、（ａ）は、球Ｗが板バネ１２，１３に挟持されている状態、（ｂ）は、球Ｗが板バネ１２，１３から外れた状態を示している。
【００３１】
磁気テープカートリッジ１が製品としてユーザの手に渡るときには、図３（ａ）に示すように、板バネ１２，１３に球Ｗが挟持された状態になっている。そして、ユーザが誤って磁気テープカートリッジ１を落としてしまった場合など、一定以上の衝撃が磁気テープカートリッジ１にかかったときには、球Ｗの慣性力が板バネ１２，１３の挟持力を上回って、図３（ｂ）に示すように板バネ１２，１３から外れる。
【００３２】
板バネ１２，１３から外れた球Ｗは、小室１５内を転がるので、この時発生するカタカタという音により、一定以上の衝撃が磁気テープカートリッジ１にかかったことをユーザは認識できる。なお、球Ｗを含む衝撃センサ５１は、小室１５内に配置されているので、球Ｗが板バネ１２，１３から外れた時でも、磁気テープＭＴやリール１１等の他の部品を傷つけるおそれがない。
【００３３】
また、板バネ１２，１３と球Ｗは、少なくとも一部が電導性を有して、球Ｗが板バネ１２，１３に挟持されている状態では電導路を形成しており、端子１２ｂ，１３ｂの２点で電導性を確認することにより、球Ｗが板バネ１２，１３に挟持されているか、言い換えれば磁気テープカートリッジ１に一定以上の衝撃が加わったか否かを判断することができる。なお、板バネ１２，１３と底面１９との距離が、球Ｗの直径よりも大きく設定されているので、球Ｗが外れた後は、板バネ１２と板バネ１３の間の導通は完全に無くなる。
【００３４】
従って、磁気テープドライブにおいて、端子１２ｂと端子１３ｂの間の導通をテストすることにより、磁気テープカートリッジ１を使用しても問題ないかどうかをチェックすることが可能である。この磁気テープドライブの一例について、次に説明する。
【００３５】
図４は、磁気テープドライブのチェック装置の機能ブロック図である。
図４に示すように、磁気テープドライブのチェック装置６０は、ドライブ側端子２と、導通テスト回路６１と、警告出力部６２とを有する。
【００３６】
ドライブ側端子２は、前記したように接触子２ａ，２ｂを有し、磁気テープカートリッジ１が磁気テープドライブに装填されたときに、これらの接触子２ａ，２ｂが、前記した端子１２ｂ，１３ｂと接触するように配置されている。接触子２ａ，２ｂは、ともに導通テスト回路６１に接続されている。
【００３７】
導通テスト回路６１は、磁気テープドライブに磁気テープカートリッジ１が装填された時や、記録、再生の操作があったとき等、所定のタイミングで接触子２ａ，２ｂに信号若しくは電流を流して衝撃センサ５１の電導路の導通テストを行い、導通が無いかどうかを判断する。そして、その導通の有無を示す信号が警告出力部６２に出力される。
【００３８】
警告出力部６２は、導通テスト回路６１から出力された信号が、電導路の不導通を示すものであれば、図示しないスピーカにより警告音を発生させるとともに、図示しない表示パネル等に警告を表示させる。
そして、磁気テープドライブは、当然のことながら磁気テープドライブとしての一般的な機構、例えば磁気テープ走行機構や、磁気ヘッド、信号のインタフェース等を有している（図示せず）。
【００３９】
このような磁気テープドライブによれば、ユーザが磁気テープカートリッジ１を装填すると、ドライブ側端子２の接触子２ａ，２ｂが、端子１２ｂ，１３ｂに接触する。そして、導通テスト回路６１が、データの記録／再生時等において、端子１２ｂ，１３ｂ間の導通をテストし、板バネ１２，１３と球Ｗとで形成される電導路の導通が無いかどうかを判断する。そして、導通が無い場合には、警告出力部６２にそのことを示す信号が出力され、磁気テープドライブから警告音、警告表示が出力される。
ユーザは、この警告音、警告表示により、磁気テープカートリッジ１が一定以上の衝撃を受けたことを認識できるので、バックアップをとるなどの対処をすることができる。
【００４０】
以上、第１の実施形態について説明したが、本発明は適宜変更して実施することが可能である。例えば、警告音、警告表示は、いずれか一方だけでも構わない。また、磁気テープドライブで磁気テープカートリッジ１の衝撃履歴の有無を検知しない場合には、球Ｗや、板バネ１２，１３を導電性にしなくても良い。すなわち、球Ｗが板バネ１２，１３の挟持状態から外れることで、球Ｗが小室１５内を転がるので、このときに発生するカタカタという音により、磁気テープカートリッジ１が一定以上の衝撃を受けたことを認識できるからである。
【００４１】
次に、第２実施形態から第４実施形態において、衝撃センサの変形例について説明する。なお、これらの作用効果は第１実施形態と同様であるので省略する。
図５は、第２実施形態に係る磁気テープカートリッジの図１のII−II線断面に相当する図である。なお、本実施の形態において、第１実施形態と同じ部分については同じ符号を付して詳細な説明を省略する。
【００４２】
図５に示すように、衝撃センサ５２は、板バネ１２と、板部材２２と、球Ｗとから構成されている。
【００４３】
板部材２２は、導電性を有する金属板からなり、先端側に円形の貫通孔２２ａを有している。そして、基端側が側壁１４ａに形成された取付孔１６１ｂに挿通された上でかしめられて固定されている。板部材２２の基端は、カートリッジケース１０の外部に露出して端子２２ｂを形成している。板バネ１２は、第１実施形態の板バネ１２と同様であり、貫通孔１２ａが貫通孔２２ａと向かい合うように、かつ板部材２２との間が球Ｗの直径より僅かに小さくなるように配置されている。なお、板バネ１２の基端側は側壁１４ａに形成された取付孔１６１ａに挿通されて固定されている。
【００４４】
そして、球Ｗは、貫通孔１２ａと貫通孔２２ａの間で挟持されている。
このように、第１実施形態のように、２つの板バネ１２，１３で挟持するのではなく、１つの板バネ１２と、１つのバネではない部材（板部材２２）により球Ｗを挟持するように本発明を構成することもできる。
【００４５】
次に、本発明の第３実施形態を説明する。参照する図において、図６は、第３実施形態に係る磁気テープカートリッジの図１のII−II線断面に相当する図である。なお、本実施の形態において、第１実施形態と同じ部分については同じ符号を付して詳細な説明を省略する。
【００４６】
図６に示すように、衝撃センサ５３は、挟持部材２３と、球Ｗとから構成されている。
【００４７】
挟持部材２３は、特許請求の範囲にいうバネ部材である。挟持部材２３は、バネ鋼などからなる一本のワイヤーを塑性加工して形成された物で、圧縮コイルバネ２３ａが形成されているとともに、圧縮コイルバネ２３ａの一端がそのままＵ字に折り曲げられて、その先端が端子２３ｂとなっている。また、圧縮コイルバネ２３ａの直径は球Ｗの直径より小さく形成され、圧縮コイルバネ２３ａの他端２３ｃと上ハーフ１０Ａに形成された貫通孔１６２ａとの間で球Ｗを挟持可能なように配置されている。なお、挟持部材２３は、上ハーフ１０Ａの内面に形成されたリブ２４に取り付けられ、固定されている。
【００４８】
上ハーフ１０Ａには、ドライブ側端子２の接触子２ａ，２ｂが入り込む貫通孔１６２ａと１６２ｂが形成されている。貫通孔１６２ｂは、端子２３ｂが臨むように配置されている。
このように、第１、第２実施形態のように、板バネ１２，１３により球Ｗを挟持するのではなく、圧縮コイルバネ２３ａにより球Ｗを挟持するように本発明を構成することもできる。
【００４９】
次に、本発明の第４実施形態を説明する。参照する図において、図７は、第４実施形態に係る磁気テープカートリッジの図１のII−II線断面に相当する図である。なお、本実施の形態において、第１実施形態と同じ部分については同じ符号を付して詳細な説明を省略する。
【００５０】
図７に示すように、衝撃センサ５４は、リブ２５と、球Ｗとから構成されている。
【００５１】
リブ２５は、特許請求の範囲にいうバネ部材である。リブ２５は、上ハーフ１０Ａを成形する際に上ハーフ１０Ａと同じ材料で内面に一体成型されたリブである。リブ２５には、球Ｗと合致する球面凹部２５ａが形成され、球面凹部２５ａと対面する側壁１４ａの内面には、球Ｗと合致する球面凹部１８が形成されている。リブ２５は、側壁１４ａと球Ｗの直径より僅かに小さい距離で対峙しており、前記した球面凹部２５ａと球面凹部１８との間で球Ｗを挟持可能である。
側壁１４ａには、球Ｗが配置される部分に２つの円形の貫通孔１６３ａ，１６３ｂが形成されている。貫通孔１６３ａ，１６３ｂは、接触子２ａ，２ｂが挿通して、共に球Ｗの表面に接触できるようになっている。
【００５２】
このように、第１から第３実施形態のように、バネ部材を介して電導路を形成し、ドライブ側端子２がバネ部材に接触するのではなく、球Ｗ自身が電導路を形成し、ドライブ側端子２が直接球Ｗに接触するように本発明を構成することもできる。
【００５３】
次に、本発明の第５実施形態について説明する。参照する図において、図８は、第５実施形態に係る磁気テープカートリッジの図１のII−II線断面に相当する図である。なお、第１実施形態と同じ部分については、同じ符号を付して詳細な説明を省略する。
【００５４】
図８に示すように、第５実施形態に係る磁気テープカートリッジ１Ｂに設けられる衝撃センサ５５は、板バネ２６，２７と、球Ｗと、カートリッジメモリＣＭとから構成されている。
【００５５】
板バネ２６，２７は、共に短冊状の金属板から形成されたもので、その基端部の取付部２６ｂ，２７ｂにおいて上ハーフ１０Ａの内面にかしめられて固定されている。板バネ２６，２７は、それぞれの先端部に円形の貫通孔２６ａ，２７ａを有し、これらの貫通孔２６ａ，２７ａが向かい合うように配置されている。また、板バネ２６，２７の間隔は、球Ｗの直径より僅かに小さく、貫通孔２６ａ，２７ａとの間で球Ｗが挟持されている。
【００５６】
カートリッジメモリＣＭは、特許請求の範囲にいう非接触式通信機に相当し、電波により非接触でデータの通信を行い、かつ記憶することができる記憶媒体である。カートリッジメモリＣＭ内の配線は、上ハーフ１０Ａの内面に形成されたプリント配線２８により板バネ２６，２７と接続されている。すなわち、板バネ２６、球Ｗ、板バネ２７により構成される電導路は、カートリッジメモリＣＭのデータ通信の回路の一部に組み込まれ、球Ｗが板バネ２６，２７による挟持から外れると、カートリッジメモリＣＭが正常に機能しなくなるようになっている。なお、このような配線による構成に変えて、カートリッジメモリＣＭに、板バネ２６、球Ｗ、板バネ２７により構成される電導路の導通をテストする機能を持たせ、外部から導通テストを行う命令をカートリッジメモリＣＭに行わせることができるように構成しても良い。この場合にも、カートリッジメモリＣＭの回路の一部を構成することに相当する。
なお、カートリッジメモリＣＭは、下ハーフ１０Ｂと上ハーフ１０Ａとで挟持される等して固定される。
【００５７】
このような磁気テープカートリッジ１Ｂによれば、外部からカートリッジメモリＣＭに対して、データの通信テスト、又は導通テストを行う通信テストを行うことで、磁気テープカートリッジ１Ｂが一定以上の衝撃を受けたかどうかの判断をすることができる。
【００５８】
従って、図９に示すように、磁気テープに対しデータの記録／再生を行う磁気テープドライブに、チェック装置７０を設けるようにすると、磁気テープドライブに本実施形態に係る磁気テープカートリッジ１Ｂを装填したときに磁気テープカートリッジ１Ｂが一定以上の衝撃を受けたかどうかがわかるようになる。
【００５９】
チェック装置７０は、カートリッジメモリＣＭと通信テストを行うドライブ側通信機７１と、導通判断部７２と、警告出力部７３とを有する。
【００６０】
ドライブ側通信機７１は、磁気テープカートリッジ１Ｂが装填されたときに、カートリッジメモリＣＭに対し、データの通信テスト、又は導通テストを行う通信テストを行う通信機である。従来の磁気テープドライブに装備されたカートリッジメモリＣＭの通信機でも、カートリッジメモリＣＭのシリアルナンバーを読み出す機能を有しているので、そのまま利用することもできる。
【００６１】
導通判断部７２は、ドライブ側通信機７１の通信結果により、磁気テープカートリッジ１Ｂに一定以上の衝撃が加わったか否かを判断する部分である。例えば、電導路がカートリッジメモリＣＭの回路の一部に組み込まれていた場合には、データの通信ができないことにより球Ｗが外れたことを判断し、カートリッジメモリＣＭが電導路の導通テストを行う機能を有する場合には、ドライブ側通信機７１が発した導通テストの命令に対する応答により球Ｗが外れたかどうかを判断する。そして、この判断の結果は警告出力部７３に出力される。
【００６２】
警告出力部７３は、導通判断部７２から出力された信号が、電導路の不導通を示すものであれば、図示しないスピーカにより警告音を発生させるとともに、図示しない表示パネル等に警告を表示させる。
そして、磁気テープドライブは、当然のことながら磁気テープドライブとしての一般的な機構、例えば磁気テープ走行機構や、磁気ヘッド、信号のインタフェース等を有している（図示せず）。
【００６３】
このような磁気テープドライブによれば、ユーザが磁気テープカートリッジ１Ｂを装填すると、ドライブ側通信機７１がカートリッジメモリＣＭに対し通信テストを行う。そして、その通信テストの結果が導通判断部７２に出力されて、導通判断部７２により電導路の導通の可否が判断される。そして、導通が無い場合には、警告出力部７３にそのことを示す信号が出力され、磁気テープドライブから警告音、警告表示が出力される。
ユーザは、この警告音、警告表示により、磁気テープカートリッジ１が一定以上の衝撃を受けたことを認識できるので、バックアップをとるなどの対処をすることができる。
【００６４】
以上、本発明の実施形態について説明したが、本発明は前記した実施形態には限定されず、適宜変更して実施することが可能である。例えば、錘や、錘を挟持するバネ部材の形状、固定方法等は任意であり、錘が球ではなく、多面体等でも構わない。また、錘は、必ずしもカートリッジケースの内部に収納される必要はなく、カートリッジケースの外表面に窪み等を設けて、ここに収納するように構成し、錘が外れたときには、錘がカートリッジケースの外部に落下するようにしても構わない。
また、錘を介して電導路を形成して、この電導路の導通の有無により錘を検知する場合だけでなく、静電容量の変化、電磁誘導、光学的な素子を利用して、錘がバネ部材の挟持から外れたかどうかを判定することもできる。
【００６５】
【発明の効果】
以上詳述したとおり、本発明によれば、ユーザは、磁気テープカートリッジに一定以上の衝撃が加わったことを認識することができる。
【図面の簡単な説明】
【図１】第１実施形態に係る磁気テープカートリッジの分解斜視図である。
【図２】図１のII−II線断面図である。
【図３】磁気テープカートリッジの破断斜視図であり、（ａ）は、球が板バネに挟持されている状態、（ｂ）は、球が板バネから外れた状態を示す。
【図４】第１実施形態に係る磁気テープカートリッジに使用する磁気テープドライブのチェック装置の機能ブロック図である。
【図５】第２実施形態に係る磁気テープカートリッジの図１のII−II線断面に相当する図である。
【図６】第３実施形態に係る磁気テープカートリッジの図１のII−II線断面に相当する図である。
【図７】第４実施形態に係る磁気テープカートリッジの図１のII−II線断面に相当する図である。
【図８】第５実施形態に係る磁気テープカートリッジの図１のII−II線断面に相当する図である。
【図９】第５実施形態に係る磁気テープカートリッジに使用する磁気テープドライブのチェック装置の機能ブロック図である。
【符号の説明】
Ｗ      球
ＣＭ    カートリッジメモリ（非接触式通信機）
１，１Ｂ  磁気テープカートリッジ
２      ドライブ側端子
２ａ，２ｂ  接触子
１２，１３  板バネ
１２ｂ，１３ｂ  端子
２２    板部材
２３    挟持部材
２５    リブ
２６，２７  板バネ
６１    導通テスト回路
６２    警告出力部
７１    ドライブ側通信機
７２    導通判断部
７３    警告出力部
【図１】
2004213732.tif 000003
【図２】
2004213732.tif 000004
【図３】
2004213732.tif 000005
【図４】
2004213732.tif 000006
【図５】
2004213732.tif 000007
【図６】
2004213732.tif 000008
【図７】
2004213732.tif 000009
【図８】
2004213732.tif 000010
【図９】
2004213732.tif 000011